(57)【要約】【課題】コルゲートチューブが取り付け可能な小型のプロテクタを提供する。【解決手段】電線の外周部を保護するプロテクタは、本体部と、交互に配された環状の凸部と環状の凹部とを有している管状部材の内周部の凸部を係止することが可能な係止部と、を備えている。そして、係止部が、本体部から立設された立設部と、本体部から離間しており且つ該本体部に沿って立設部から一方向に延在している延在部と、該延在部から本体部に向けて突起している突起部と、を有している。【選択図】図５
2017195655.tif 000002
【特許請求の範囲】
【請求項１】
電線の外周部を保護するプロテクタであって、
本体部と、
交互に配された環状の凸部と環状の凹部とを有している管状部材の内周部の凸部を係止することが可能な係止部と、を備えており、
前記係止部が、前記本体部から立設された立設部と、前記本体部から離間しており且つ前記本体部に沿って前記立設部から一方向に延在している延在部と、前記延在部から前記本体部に向けて突起している突起部と、を有している、プロテクタ。
【請求項２】
請求項１に記載のプロテクタであって、
前記突起部が、前記一方向の端部において前記本体部に近づくほど前記立設部に近づくように該本体部に対して傾斜している第１端面と、前記立設部側において前記第１端面よりも前記本体部と成す角度が大きな第２端面と、を有している、プロテクタ。
【請求項３】
請求項１又は請求項２に記載のプロテクタであって、
前記本体部が、底部の延在方向に直交する断面がＬ字状又はＵ字状である内壁を有する溝部を含み、
前記係止部が、第１係止部と第２係止部とを含んでおり、
前記第１係止部と前記第２係止部とが、前記内壁の内周方向に沿って互いに離間している、プロテクタ。
【請求項４】
請求項１又は請求項２に記載のプロテクタであって、
前記本体部が、底部の延在方向に直交する断面がＵ字状である内壁を有する溝部を含み、
前記係止部が、第１係止部と第２係止部とを含んでおり、
前記第１係止部と前記第２係止部とが、前記内壁の内周方向に沿って互いに離間しており且つ対向する面に配されている、プロテクタ。
【請求項５】
請求項３又は請求項４に記載のプロテクタであって、
前記係止部が、前記内壁の内周方向において、前記第１係止部と前記第２係止部との間に配された第３係止部を更に含んでいる、プロテクタ。
【請求項６】
請求項１又は請求項２に記載のプロテクタであって、
前記本体部が、底部の延在方向に直交する断面がＬ字状又はＵ字状である内壁を有する溝部を含み、
前記係止部が、前記内壁の内周方向に沿って曲がり且つ延在している曲がり係止部、を含んでいる、プロテクタ。
【請求項７】
請求項１又は請求項２に記載のプロテクタであって、
前記本体部が、底部の延在方向に直交する断面がＵ字状である内壁を有する溝部を含み、
前記係止部が、前記内壁の内周方向に沿ってＵ字状に曲がり且つ延在している曲がり係止部、を含んでいる、プロテクタ。
【請求項８】
請求項１から請求項７の何れか１つの請求項に記載のプロテクタであって、
前記本体部の前記係止部が設けられている側において前記本体部に沿って前記電線が配設され得る空間を覆うことが可能な蓋部、をさらに備えている、プロテクタ。
【請求項９】
請求項１から請求項８の何れか１つの請求項に記載のプロテクタと、
長手方向の第１区間が前記プロテクタに沿って配された１本以上の電線と、
前記管状部材と、を備え、
前記管状部材が、前記１本以上の電線のうちの前記長手方向に沿った前記第１区間と隣接する第２区間を周囲から覆っており、
前記突起部が、前記管状部材の内周部の凹部に嵌まり込んで該内周部の凸部を係止している、プロテクタ付ワイヤーハーネス。
【発明の詳細な説明】
【技術分野】
【０００１】
この発明は、電線を保護する技術に関する。
【背景技術】
【０００２】
車両等に配設される電線には、該電線の保護及び経路の規制等を目的として、該電線の周囲にプロテクタが取り付けられる場合がある。このようなプロテクタが、例えば、特許文献１に開示されている。
【０００３】
特許文献１に記載のプロテクタは、端部の開口部に近い内周部分に凹凸構造を有し、該凹凸構造に、電線の一部を覆うコルゲートチューブの外周部に設けられた凹凸構造が嵌合されることで、プロテクタにコルゲートチューブが取り付けられる。
【先行技術文献】
【特許文献】
【０００４】
【特許文献１】特開２００６−３１１６９０号公報
【発明の概要】
【発明が解決しようとする課題】
【０００５】
しかしながら、プロテクタの内周に沿って凹凸構造が設けられると、プロテクタの外形が大きくなり、車両等に搭載される周辺の部品との隙間にプロテクタを配設し難しくなる。つまり、プロテクタには、小型化が求められる。
【０００６】
本発明は、上記課題に鑑みてなされたものであり、コルゲートチューブが取り付け可能な小型のプロテクタ及び小型のプロテクタにコルゲートチューブが取り付けられたプロテクタ付ワイヤーハーネスを提供することを目的とする。
【課題を解決するための手段】
【０００７】
上記課題を解決するために、第１の態様に係るプロテクタは、電線の外周部を保護するプロテクタであって、本体部と、交互に配された環状の凸部と環状の凹部とを有している管状部材の内周部の凸部を係止することが可能な係止部と、を備えており、前記係止部が、前記本体部から立設された立設部と、前記本体部から離間しており且つ前記本体部に沿って前記立設部から一方向に延在している延在部と、前記延在部から前記本体部に向けて突起している突起部と、を有している。
【０００８】
第２の態様に係るプロテクタは、第１の態様に係るプロテクタであって、前記突起部が、前記一方向の端部において前記本体部に近づくほど前記立設部に近づくように該本体部に対して傾斜している第１端面と、前記立設部側において前記第１端面よりも前記本体部と成す角度が大きな第２端面と、を有している。
【０００９】
第３の態様に係るプロテクタは、第１又は第２の態様に係るプロテクタであって、前記本体部が、底部の延在方向に直交する断面がＬ字状又はＵ字状である内壁を有する溝部を含み、前記係止部が、第１係止部と第２係止部とを含んでおり、前記第１係止部と前記第２係止部とが、前記内壁の内周方向に沿って互いに離間している。
【００１０】
第４の態様に係るプロテクタは、第１又は第２の態様に係るプロテクタであって、前記本体部が、底部の延在方向に直交する断面がＵ字状である内壁を有する溝部を含み、前記係止部が、第１係止部と第２係止部とを含んでおり、前記第１係止部と前記第２係止部とが、前記内壁の内周方向に沿って互いに離間しており且つ対向する面に配されている。
【００１１】
第５の態様に係るプロテクタは、第３又は第４の態様に係るプロテクタであって、前記係止部が、前記内壁の内周方向において、前記第１係止部と前記第２係止部との間に配された第３係止部を更に含んでいる。
【００１２】
第６の態様に係るプロテクタは、第１又は第２の態様に係るプロテクタであって、前記本体部が、底部の延在方向に直交する断面がＬ字状又はＵ字状である内壁を有する溝部を含み、前記係止部が、前記内壁の内周方向に沿って曲がり且つ延在している曲がり係止部、を含んでいる。
【００１３】
第７の態様に係るプロテクタは、第１又は第２の態様に係るプロテクタであって、前記本体部が、底部の延在方向に直交する断面がＵ字状である内壁を有する溝部を含み、前記係止部が、前記内壁の内周方向に沿ってＵ字状に曲がり且つ延在している曲がり係止部、を含んでいる。
【００１４】
第８の態様に係るプロテクタは、第１から第７の何れか１つの態様に係るプロテクタであって、前記本体部の前記係止部が設けられている側において前記本体部に沿って前記電線が配設され得る空間を覆うことが可能な蓋部、をさらに備えている。
【００１５】
第９の態様に係るプロテクタ付ワイヤーハーネスは、第１から第８の何れか１つの態様に係るプロテクタと、長手方向の第１区間が前記プロテクタに沿って配された１本以上の電線と、前記管状部材と、を備え、前記管状部材が、前記１本以上の電線のうちの前記長手方向に沿った前記第１区間と隣接する第２区間を周囲から覆っており、前記突起部が、前記管状部材の内周部の凹部に嵌まり込んで該内周部の凸部を係止している。
【発明の効果】
【００１６】
第１から第８の何れの態様に係るプロテクタによっても、プロテクタに対して管状部材の内周の凸部が係止され得る構成が採用されることで、例えば、プロテクタの外形の大型化が抑制され得る。したがって、コルゲートチューブが取り付け可能な小型のプロテクタが提供され得る。
【００１７】
第２の態様に係るプロテクタによれば、管状部材の内周の凸部を係止する突起部と本体部とが成す角度が、立設部とは反対側の端面よりも立設部側の端面の方が大きいため、例えば、プロテクタに対して、コルゲートチューブが、取り付け易く、外れ難い。
【００１８】
第３から第７の何れの態様に係るプロテクタによっても、プロテクタに管状部材が安定して係止され得る。すなわち、プロテクタからコルゲートチューブが外れ難い。
【００１９】
第３から第５の何れの態様に係るプロテクタによっても、プロテクタにコルゲートチューブが取り付け易い。
【００２０】
第４及び第５の何れの態様に係るプロテクタによっても、プロテクタにコルゲートチューブが安定して係止され得る。
【００２１】
第６及び第７の何れの態様に係るプロテクタによっても、プロテクタに対してコルゲートチューブが安定して取り付けられ得る。
【００２２】
第８の態様に係るプロテクタによれば、溝部が本体部と蓋部とによって囲まれるため、例えば、溝部に配される電線が、周辺に配される部材等から保護され得る。
【００２３】
第９の態様に係るプロテクタ付ワイヤーハーネスによれば、プロテクタに対して、電線の一部を覆うコルゲートチューブの内周の凸部が係止されるため、例えば、プロテクタの外形の大型化が抑制され得る。これにより、小型のプロテクタにコルゲートチューブが取り付けられたプロテクタ付ワイヤーハーネスが提供され得る。
【図面の簡単な説明】
【００２４】
【図１】一実施形態に係る電線モジュールを示す概略斜視図である。
【図２】一実施形態に係る電線モジュールを示す概略正面図である。
【図３】電線モジュールの蓋部が開閉する態様を例示する図である。
【図４】係止部にコルゲートチューブが係止されている部分を示す拡大上面図である。
【図５】係止部にコルゲートチューブが係止されている部分を示す拡大断面図である。
【図６】一実施形態に係るプロテクタを示す概略斜視図である。
【図７】一実施形態に係るプロテクタを示す概略上面図である。
【図８】係止部を示す拡大上面図である。
【図９】プロテクタにコルゲートチューブが取り付けられる一例を示す拡大上面図である。
【図１０】プロテクタにコルゲートチューブが取り付けられる一例を示す拡大断面図である。
【図１１】第１変形例に係る電線モジュールを示す概略正面図である。
【図１２】第２変形例に係る電線モジュールを示す概略正面図である。
【図１３】第３変形例に係る電線モジュールを示す概略正面図である。
【図１４】第４変形例に係る電線モジュールを示す概略正面図である。
【図１５】第５変形例に係る電線モジュールを示す概略正面図である。
【図１６】第６変形例に係る電線モジュールを示す概略正面図である。
【図１７】第７変形例に係る電線モジュールを示す概略正面図である。
【図１８】第８変形例に係る電線モジュールを示す概略正面図である。
【図１９】第９変形例に係る電線モジュールを示す概略正面図である。
【図２０】第１０変形例に係る電線モジュールを示す概略正面図である。
【図２１】第１１変形例に係る電線モジュールを示す概略正面図である。
【図２２】第１１変形例に係る電線モジュールを示す概略正面図である。
【発明を実施するための形態】
【００２５】
＜１．一実施形態＞
以下、一実施形態に係る電線モジュール１００及びプロテクタ１について説明する。なお、図面においては同様な構成および機能を有する部分については同じ符号が付されており、下記説明では重複説明が省略される。図面は模式的に示されたものであり、各図における各種構造のサイズおよび位置関係等は適宜変更され得る。
【００２６】
図１は、一実施形態に係る電線モジュール１００を示す概略斜視図である。図２は、一実施形態に係る電線モジュール１００を示す概略正面図である。図３は、一実施形態に係る電線モジュール１００の蓋部４が開閉する態様を例示する図である。図４は、一実施形態に係るプロテクタ１の係止部３にコルゲートチューブ６が係止されている部分を示す拡大上面図である。図５は、図２のＶ−Ｖ線に沿って切断した電線モジュール１００の断面図である。図６は、一実施形態に係るプロテクタ１を示す概略斜視図である。図７は、一実施形態に係る本体部２を示す概略上面図である。図８は、係止部３を示す拡大上面図である。なお、図１、図３及び後述する図２１では、便宜的に、蓋部４が開けられた状態が示されている。図１から図８及び後述する図９から図２２には、プロテクタ１の長手方向を＋Ｘ方向とし、プロテクタ１の幅方向を＋Ｙ方向とする、右手系のＸＹＺ座標系が付されている。
【００２７】
一実施形態に係る電線モジュール１００は、プロテクタ１と、電線５と、コルゲートチューブ６とを備える。電線モジュール１００としては、例えば、電源供給或いは信号通信に用いられる複数の電線５が束にされた集合部品であるワイヤーハーネス等が採用され得る。なお、プロテクタ１が付けられたワイヤーハーネスは、プロテクタ付ワイヤーハーネスとも称される。
【００２８】
電線５は、１本以上であればよい。電線５は、該電線５の長手方向の一部の区間（第１区間とも言う）Ｚ１が、プロテクタ１に沿って配されている。第１区間Ｚ１は、例えば、電線５の中間部分であればよい。電線５の第１区間Ｚ１は、例えば、プロテクタ１の収容空間２Ｓｐに収容される。また、電線５は、例えば、芯線の外周に対して樹脂の押出被覆等によって被覆部が形成された構成を有している。ここでは、複数の電線５が束ねられた電線束が用いられる例を挙げて説明する。電線束には、例えば、光ファイバ等の他の線状の部材が電線５に沿って配設されてもよい。電線５は、例えば、車両等の配設対象箇所に配設された状態で、車両等に搭載された各種電気機器同士を電気的に接続するものとして用いられる。
【００２９】
なお、図１から図５及び図９から図２２では、電線束の概形を示す電線束の外縁が一点鎖線で描かれている。また、図２、図３及び図１１から図２２では、電線束の概形とともに、コルゲートチューブ６の概形も一点鎖線で描かれている。
【００３０】
コルゲートチューブ６は、長手方向に山部６１と谷部６２とが連続して形成された外周部を有している。コルゲートチューブ６は、筒状に形成されている。ここでは、コルゲートチューブ６の長手方向に直交する方向に沿って切断した断面は、例えば、円形であるが、これに限られず、例えば、楕円形状等であってもよい。コルゲートチューブ６では、山部６１は、谷部６２よりも径方向に突出する環状の凸部であり、谷部６２は、山部６１よりも径方向に凹んでいる環状の凹部である。山部６１と谷部６２とは、コルゲートチューブ６の長手方向に沿って交互に形成されている。すなわち、コルゲートチューブ６は、環状の凸部と環状の凹部とが交互に配された外形を有している管状の部材（管状部材とも言う）である。
【００３１】
コルゲートチューブ６の素材としては、例えば、樹脂等のある程度の柔軟性を有し且つ弾性変形が可能な素材が採用され得る。該樹脂には、例えば、ゴム等が含まれる。この場合、例えば、コルゲートチューブ６は、環状の凸部と環状の凹部との間の段部等で容易に弾性変形するため、全体として曲げ変形が容易な性質を有している。
【００３２】
コルゲートチューブ６は、例えば、電線５の外周部を覆うことで、該電線５を保護することができる。具体的には、例えば、コルゲートチューブ６は、電線５のうちの長手方向に沿った第１区間Ｚ１と隣接する第２区間Ｚ２を周囲から覆っている。
【００３３】
ここでは、例えば、コルゲートチューブ６の長手方向に沿って形成されたスリットが割り開かれて、該コルゲートチューブ６の内部に電線５が収容され得る。また、例えば、コルゲートチューブ６にスリットが形成されず、該コルゲートチューブ６の一方側の開口から他方側の開口に向けて電線５が中通されてもよい。これらの何れの構成が採用されても、コルゲートチューブ６が電線５に外装され得る。
【００３４】
プロテクタ１は、例えば、電線５の外周部を保護することが可能な部材である。また、プロテクタ１は、例えば、電線５の配設経路を規制することが可能な部材である。プロテクタ１の素材として、例えば、樹脂等のある程度の剛性を有する素材が採用されれば、プロテクタ１による電線５の保護及び配設経路の規制が実現され得る。ここで、プロテクタ１を構成する樹脂には、例えば、プラスチックス等が含まれる。プロテクタ１は、例えば、上下から接離可能な一対の金型を用いた樹脂成形によって製造され得る。なお、プロテクタ１は、例えば、３Ｄプリンタ等を用いて形成されてもよい。
【００３５】
プロテクタ１は、本体部２と、係止部３と、蓋部４とを備えている。
【００３６】
本体部２は、例えば、底部２０と側壁部２１，２２とを含む。
【００３７】
底部２０は、電線５の配設経路に応じて形成される。このため、底部２０の延在方向は、例えば、１次元状、２次元状、又は３次元状に設定され得る。また、底部２０は、途中で分岐してもよい。なお、本実施形態では、樹脂成形によってプロテクタ１が製造可能となるように、底部２０には、後述する係止部３の形状に合わせた貫通孔Ｈ１が設けられている。貫通孔Ｈ１は、例えば、＋Ｚ側から平面透視して、底部２０のうちの少なくとも係止部３と重なっている部分に設けられればよい。
【００３８】
側壁部２１，２２は、底部２０の幅方向の両側の端部に立設されている。具体的には、底部２０の幅方向の一方の端部（ここでは、＋Ｙ方向の端部）に側壁部２１が立設され、底部２０の幅方向の他方の端部（ここでは、−Ｙ方向の端部）に側壁部２２が立設されている。これにより、本体部２は、底部２０の延在方向に直交する断面（ここでは、ＹＺ断面）がＵ字状である内壁２Ｉｗを有する溝部２Ｇｒを含んでいる。
【００３９】
ここでは、一対の側壁部２１，２２と底部２０とによって溝部２Ｇｒが構成され、該溝部２Ｇｒによって本体部２の周方向の一部（ここでは、＋Ｚ方向の部分）が開口した収容空間２Ｓｐが形成されている。つまり、例えば、本体部２の周方向のうち、底部２０と対向する＋Ｚ方向の部分に、開口Ｏｐ３が形成されている。
【００４０】
収容空間２Ｓｐには、例えば、電線５が配される。また、溝部２Ｇｒは、例えば、底部２０の延在方向に沿った一方向（ここでは、−Ｘ方向）側の端部に開口Ｏｐ１を形成している。この開口Ｏｐ１は、例えば、収容空間２Ｓｐに配される電線５が該収容空間２Ｓｐ内に導入される開口として働く。また、本体部２には、電線５が導出される開口Ｏｐ２が設けられる。ここでは、開口Ｏｐ１及び開口Ｏｐ２がそれぞれ１つずつ設けられている具体例を挙げて説明しているが、例えば、１以上の開口Ｏｐ１及び１以上の開口Ｏｐ２が設けられればよい。
【００４１】
係止部３は、例えば、コルゲートチューブ６の内周部の凸部を係止することが可能な部分である。本実施形態では、図７等で示されるように、係止部３は、本体部２のうちの底部２０の延在方向に沿った一方向（ここでは、−Ｘ方向）側において、内壁２Ｉｗから収容空間２Ｓｐ内に突出するように設けられている。つまり、係止部３は、本体部２のうちの開口Ｏｐ１の近くに設けられている。
【００４２】
また、本実施形態では、係止部３は、第１係止部３１及び第２係止部３２を有している。ここで、第１係止部３１と第２係止部３２とは、本体部２の内壁２Ｉｗの内周方向に沿って互いに離間している対向する面に配されている。つまり、側壁部２１の収容空間２Ｓｐ側の面に第１係止部３１が配され、側壁部２２の収容空間２Ｓｐ側の面に第２係止部３２が配されている。換言すれば、第１係止部３１と第２係止部３２とが収容空間２Ｓｐを挟むように配されている。これにより、例えば、プロテクタ１に対してコルゲートチューブ６が安定して係止され得る。
【００４３】
図８で示されるように、第１係止部３１及び第２係止部３２のそれぞれは、立設部３ａと、延在部３ｂと、突起部３ｃと、を有している。
【００４４】
立設部３ａは、本体部２から立設された部分である。例えば、立設部３ａは、本体部２の内壁２Ｉｗに対して垂直に立設される。本実施形態では、側壁部２１の収容空間２Ｓｐ側の面に、立設部３ａが立設されている。
【００４５】
延在部３ｂは、本体部２から離間しており且つ本体部２に沿って立設部３ａから一方向に延在している部分である。本実施形態では、延在部３ｂは、立設部３ａの本体部２側とは反対側の端部から、開口Ｏｐ１に向けて延設されている。換言すれば、立設部３ａと延在部３ｂとが、収容空間２Ｓｐの内にＬ字状に突出している突出部を構成する。ここでは、例えば、延在部３ｂは、内壁２Ｉｗとの間に空間を挟んで内壁２Ｉｗに対して略平行に配されている。
【００４６】
突起部３ｃは、延在部３ｂから本体部２に向けて突起している部分である。本実施形態では、１つの延在部３ｂから３つの突起部３ｃが突起している。具体的には、３つの突起部３ｃは、立設部３ａとは反対側の延在部３ｂの先端側から順に配された第１〜３突起部３ｃ１〜３ｃ３によって構成されている。そして、コルゲートチューブ６の内周部の凹部６４に、突起部３ｃが嵌まり込むことで、コルゲートチューブ６の内周部の凸部６３が係止部３によって係止されている。このとき、コルゲートチューブ６内において、コルゲートチューブ６の内周部と電線５との間に係止部３が配されている。
【００４７】
このように、プロテクタ１に対して、コルゲートチューブ６の内周部の凸部６３が係止される構造が採用されれば、例えば、プロテクタ１の外形の大型化が抑制され得る。その結果、コルゲートチューブ６が小型のプロテクタ１に取り付けられた電線モジュール１００が実現され得る。
【００４８】
また、ここでは、各突起部３ｃ１〜３ｃ３には、一方向（ここでは、−Ｘ方向）の端部において本体部２に対して傾斜している第１の端面（第１端面とも言う）ＳＬ１が設けられている。ここで、第１端面が、例えば、本体部２に近づくほど立設部３ａに近づくように、本体部２の内壁２Ｉｗに対して傾斜している傾斜面であれば、コルゲートチューブ６がプロテクタ１に容易に取り付けられ得る。そして、突起部３ｃに、立設部３ａ側において第１端面ＳＬ１よりも本体部２と成す角度が大きな第２の端面（第２端面とも言う）ＳＴ１が設けられていれば、コルゲートチューブ６の内周部の凸部６３が突起部３ｃによって強固に係止され得る。この場合、例えば、各突起部３ｃ１〜３ｃ３は、本体部２に近づきながら、立設部３ａに近づくように、延在部３ｂから斜めに突起されており、本体部２に近づくほど、幅が狭くなる先細りの形状を有している。
【００４９】
ここでは、第１端面ＳＬ１が内壁２Ｉｗと成す角度よりも、第２端面ＳＴ１が内壁２Ｉｗと成す角度の方が大きくなっている。具体的には、ここでは、第２端面ＳＴ１と内壁２Ｉｗとが約９０度の角度を成し、第１端面ＳＬ１と内壁２Ｉｗとが９０度未満の角度（例えば、４０度程度等）を成している。換言すれば、ここでは、コルゲートチューブ６の内周部の凸部６３を係止する突起部３ｃと本体部２とが成す角度が、立設部３ａとは反対側の第１端面ＳＬ１よりも立設部３ａ側の第２端面ＳＴ１の方が大きい。これにより、例えば、プロテクタ１に対して、コルゲートチューブ６が、取り付け易く、外れ難い。
【００５０】
蓋部４は、例えば、本体部２の係止部３が設けられている側において該本体部２に沿って電線５が配設され得る空間（ここでは、収容空間２Ｓｐ）を覆うことが可能な部分である。電線モジュール１００では、例えば、電線５及びコルゲートチューブ６が配される経路が配されていない、収容空間２Ｓｐの開口Ｏｐ３が、例えば、蓋部４によって塞がれている。これにより、溝部２Ｇｒが本体部２と蓋部４とによって囲まれるため、例えば、溝部２Ｇｒに配される電線５が、周辺に配される部材等から保護され得る。
【００５１】
蓋部４は、天板部４１と嵌合部４２とを含む。
【００５２】
天板部４１は、収容空間２Ｓｐの開口Ｏｐ３を塞ぐように形成されている。ここでは、天板部４１が、底部２０と相対するように形成されている。具体的には、ここでは、天板部４１の幅方向の寸法は、一対の側壁部２１，２２の外周面同士の間隔と同程度に設定され、天板部４１は、一対の側壁部２１，２２の上に載るように形成されている。ここでは、図１から図３で示されるように、例えば、天板部４１は、蝶番或いは薄肉部等を介して本体部２に対して回動可能に設けられている。具体的には、側壁部２１の上端部に対して天板部４１が回動可能に設けられている。つまり、天板部４１と本体部２とが一体的に構成されている。天板部４１は、例えば、本体部２とは別体として構成されてもよい。
【００５３】
嵌合部４２は、天板部４１の端部から天板部４１の厚み方向に突出するように形成されている。本実施形態においては、電線モジュール１００の状態では、嵌合部４２が、本体部２の側壁部２２に設けられた被嵌合部２３に嵌合されていることで、天板部４１が、収容空間２Ｓｐの開口Ｏｐ３を塞いだ状態で本体部２に固定されている。具体的には、ここでは、嵌合部４２の先端部に設けられたロック片Ｆ１が、被嵌合部２３に設けられた貫通孔Ｈ２に挿通されることで、嵌合部４２が被嵌合部２３に嵌合されている。ここでは、被嵌合部２３は、側壁部２２の収容空間２Ｓｐとは逆側の面（外面とも言う）の上端部近傍に設けられている。
【００５４】
なお、例えば、蓋部４に嵌合部４２が設けられず、蓋部４が、本体部２に対して、係合、嵌合及び螺合等の如何なる態様で固定されてもよい。例えば、係合は、天板部４１に係合部が設けられ、側壁部の外面の上端部に係合部が係合可能な突起又は段差等が設けられた構成によって実現され得る。
【００５５】
ここで、コルゲートチューブ６が、開口Ｏｐ１側からプロテクタ１の本体部２に対して取り付けられる様子の一例について説明する。
【００５６】
図９及び図１０は、プロテクタ１の本体部２にコルゲートチューブ６が取り付けられる様子を例示する図である。図９は、開口Ｏｐ１の周辺の部分を示す拡大上面図である。図１０は、図２に対応する位置を示す断面図である。
【００５７】
図９及び図１０で示されるように、例えば、本体部２の収容空間２Ｓｐ内に、コルゲートチューブ６が取り付けられた電線５が配された状態で、コルゲートチューブ６が、一方向（ここでは、−Ｘ方向）側から開口Ｏｐ１を介して収容空間２Ｓｐ内に挿入される。
【００５８】
次に、コルゲートチューブ６が、係止部３に当接された状態で、底部２０の延在方向（ここでは、＋Ｘ方向）に沿って、係止部３の立設部３ａに向けて収容空間２Ｓｐ内に押し込まれる。このとき、コルゲートチューブ６は、弾性変形をしながら、コルゲートチューブ６の内周部の凹部６４が、３つの突起部３ｃに順次に嵌まり込んでいく。ここで、上述したように、各突起部３ｃ１〜３ｃ３の第１端面ＳＬ１が傾斜面であれば、コルゲートチューブ６の内周部が突起部３ｃに引っ掛かり難く、プロテクタ１にコルゲートチューブ６が取り付け易い。そして、図４及び図５で示された状態に至る。なお、ここで、例えば、第１〜３突起部３ｃ１〜３ｃ３のうちの少なくとも１つの突起部３ｃにおける第１端面ＳＬ１が傾斜面であれば、プロテクタ１にコルゲートチューブ６が取り付け易い。
【００５９】
そして、図１及び図３で示されるように、蓋部４が収容空間２Ｓｐの開口Ｏｐ３を塞いでいない状態（開放状態とも言う）から、図２で示されるように、嵌合部４２が被嵌合部４３に嵌合されると、蓋部４が収容空間２Ｓｐの開口Ｏｐ３を塞いでいる状態（閉鎖状態とも言う）に至る。なお、図１には、閉鎖状態における蓋部４の天板４１の外縁が一点鎖線で描かれている。
【００６０】
ここで、例えば、１つの延在部３ｂから１つ以上の突起部３ｃが突起していれば、突起部３ｃによってコルゲートチューブ６が係止され得る。そして、１つの延在部３ｂから突起している突起部３ｃの数が多ければ、複数の突起部３ｃによってコルゲートチューブ６が強固に係止され得る。一方、例えば、１つの延在部３ｂから突起している突起部３ｃの数が少なければ、コルゲートチューブ６がプロテクタ１に容易に取り付けられ得る。また、係止部３の形成が容易であるとともに、コルゲートチューブ６内の電線５と係止部３とが干渉し難い。
【００６１】
以上のように、本実施形態に係るプロテクタ１によれば、例えば、本体部２に設けられた係止部３によって、プロテクタ１に対してコルゲートチューブ６の内周部の凸部６３が係止され得る構成が採用される。これにより、例えば、プロテクタ１の外形の大型化が抑制され得る。したがって、コルゲートチューブ６が取り付け可能な小型のプロテクタ１が提供され得る。
【００６２】
また、本実施形態に係る電線モジュール１００によれば、例えば、本体部２に設けられた係止部３によって、プロテクタ１に対して、電線５の一部を覆うコルゲートチューブ６の内周部の凸部６３が係止される構造が採用される。これにより、例えば、プロテクタ１の外形の大型化が抑制され得る。これにより、小型のプロテクタ１にコルゲートチューブ６が取り付けられた電線モジュール１００が提供され得る。
【００６３】
＜２．変形例＞
上記一実施形態に係るプロテクタ１及び電線モジュール１００において、例えば、蓋部４が設けられなくてもよい。図１１は、第１変形例に係るプロテクタ１Ａ及び電線モジュール１００Ａを示す概略正面図である。プロテクタ１Ａは、上記一実施形態に係るプロテクタ１をベースにして、蓋部４及び被嵌合部２３が削除されたものである。このような構成でも、例えば、底部２０及び一対の側壁部２１，２２によって構成されるＹＺ断面がＵ字状の本体部２によって、電線５が保護され得る。
【００６４】
上記一実施形態及び上記第１変形例に係るプロテクタ１，１Ａ及び電線モジュール１００，１００Ａにおいて、例えば、係止部３が、内壁２Ｉｗの内周方向において第１係止部３１と第２係止部３２との間に配された第３係止部３３を更に含んでいてもよい。つまり、３つ以上の係止部３が設けられてもよい。図１２は、第２変形例に係るプロテクタ１Ｂ及び電線モジュール１００Ｂを示す概略正面図である。プロテクタ１Ｂは、例えば、上記第１変形例に係るプロテクタ１Ａをベースにして、底部２０の内壁２Ｉｗに対して第３係止部３３が配設されたものである。ここでは、例えば、第３係止部３３の増設によって、プロテクタ１Ｂにコルゲートチューブ６が安定して係止され得る。
【００６５】
上記一実施形態及び上記第１変形例に係るプロテクタ１，１Ａ及び電線モジュール１００，１００Ａにおいて、例えば、第２係止部３２が設けられなくてもよい。図１３は、第３変形例に係るプロテクタ１Ｃ及び電線モジュール１００Ｃを示す概略正面図である。プロテクタ１Ｃは、例えば、上記第１変形例に係るプロテクタ１Ａをベースにして、第２係止部３２が削除されたものである。ここでは、例えば、第１係止部３１によって、プロテクタ１Ｂに対してコルゲートチューブ６が係止され得る。すなわち、例えば、第１〜３係止部３１〜３３のうちの少なくとも１つ以上の係止部３が設けられていれば、プロテクタ１Ｃにコルゲートチューブ６が係止され得る。
【００６６】
上記第２変形例に係るプロテクタ１Ｂ及び電線モジュール１００Ｂにおいて、例えば、側壁部２２及び第２係止部３２が設けられなくてもよい。図１４は、第４変形例に係るプロテクタ１Ｄ及び電線モジュール１００Ｄを示す概略正面図である。プロテクタ１Ｄは、上記第２変形例に係るプロテクタ１Ｂをベースにして、第３係止部３３が第２係止部３２に置換され、第３係止部３３が削除され、上記第２変形例に係る本体部２Ｂが、側壁部２２が削除された本体部２Ｄに変更されたものである。
【００６７】
ここでは、例えば、本体部２Ｄが、例えば、底部２０の延在方向に直交するＹＺ断面がＬ字状の内壁２ＩｗＤを有する溝部２ＧｒＤを含んでいる。具体的には、側壁部２１と底部２０とによって溝部２ＧｒＤが構成され、該溝部２ＧｒＤによって本体部２Ｄの周方向の一部（ここでは、＋Ｚ方向の部分及び−Ｙ方向の部分）が開口した収容空間２ＳｐＤが形成されている。つまり、例えば、本体部２Ｄの周方向のうち、底部２０と対向する＋Ｚ方向の部分から側壁部２１と対向する−Ｙ方向の部分にかけて、開口Ｏｐ３Ｄが形成されている。また、第１係止部３１及び第２係止部３２が、内壁２ＩｗＤの内周方向に沿って互いに離間している。このような構成でも、第１係止部３１及び第２係止部３２によって、プロテクタ１Ｄにコルゲートチューブ６が安定して係止され得る。すなわち、プロテクタ１Ｄからコルゲートチューブ６が外れ難い。一方、互いに離間した２以上の係止部３によってコルゲートチューブ６が係止されるため、プロテクタ１Ｄに対してコルゲートチューブ６が取り付け易い。
【００６８】
上記第４変形例に係るプロテクタ１Ｄ及び電線モジュール１００Ｄにおいて、例えば、溝部２ＧｒＤを覆うことが可能な蓋部４Ｅが設けられてもよい。図１５は、第５変形例に係るプロテクタ１Ｅ及び電線モジュール１００Ｅを示す概略正面図である。プロテクタ１Ｅは、上記第４変形例に係るプロテクタ１Ｄをベースにして、本体部２Ｄが被嵌合部２４Ｅ及び被係合部２５Ｅの追加によって本体部２Ｅとされ、底部２０の延在方向に直交するＹＺ断面がＬ字状の板状部材４１Ｅで構成された蓋部４Ｅが設けられたものである。
【００６９】
ここでは、例えば、蓋部４Ｅが、底部２０と対向する平板状の部分と、側壁部２１と対向する平板部とが略垂直に連結された形状を有している。そして、例えば、蓋部４Ｅに設けられた嵌合部が、被嵌合部２４Ｅに嵌合するとともに、蓋部４Ｅに設けられた係合部が、被係合部２５Ｅに係合することで、本体部２Ｅに蓋部４Ｅが固定され得る。ここでは、嵌合と係合との組み合わせによって蓋部４Ｅが本体部２Ｅに固定されたが、これに限られず、例えば、蓋部４Ｅは、嵌合、係合及び螺合等の如何なる態様によって、本体部２Ｅに固定されてもよい。また、例えば、蓋部４Ｅは、薄肉部又は蝶番等によって本体部２Ｅに対して回動可能に設けられていてもよいし、本体部２Ｅとは別体であってもよい。このような蓋部４Ｅが設けられれば、溝部２ＧｒＤが本体部２Ｅと蓋部４Ｅとで囲まれるため、例えば、溝部２ＧｒＤに配される電線５が、周辺に配される部材等から保護され得る。
【００７０】
上記第４変形例に係るプロテクタ１Ｄ及び電線モジュール１００Ｄにおいて、例えば、側壁部２１及び第１係止部３１が設けられていなくてもよい。図１６は、第６変形例に係るプロテクタ１Ｆ及び電線モジュール１００Ｆを示す概略正面図である。プロテクタ１Ｆは、上記第４変形例に係るプロテクタ１Ｄをベースにして、第１係止部３１が削除され、上記第４変形例に係る本体部２Ｄが、側壁部２１が削除された本体部２Ｆに変更されたものである。
【００７１】
ここでは、例えば、本体部２Ｆが、例えば、底部２０によって構成されている。底部２０は、例えば、平板状の部分である。つまり、例えば、本体部２Ｆでは、平板状の底部２０に設けられた係止部３によってコルゲートチューブ６が係止される。このような構成でも、例えば、本体部２Ｆによって電線５が保護され得る。
【００７２】
上記第６変形例に係るプロテクタ１Ｆ及び電線モジュール１００Ｆにおいて、例えば、本体部２Ｆのうちの係止部３が設けられた側の該本体部２Ｆ上の収容空間２ＳｐＧを覆うことが可能な蓋部４Ｇが設けられてもよい。図１７は、第７変形例に係るプロテクタ１Ｇ及び電線モジュール１００Ｇを示す概略正面図である。プロテクタ１Ｇは、上記第６変形例に係るプロテクタ１Ｆをベースにして、本体部２Ｆが被係合部２４Ｇ，２５Ｇの追加によって本体部２Ｇとされ、底部２０の延在方向に直交するＹＺ断面がＵ字状の板状部材４１Ｇによって構成された蓋部４Ｇが設けられたものである。
【００７３】
ここで、例えば、蓋部４Ｇが、底部２０と対向する平板状の天板部と、該平板状の部分の両端部から垂下された互いに対向する一対の側壁部とが連結された形状を有している。そして、例えば、蓋部４Ｇの一対の側壁部のそれぞれの下端部が、被係合部２４Ｇ，２５Ｇに係合することで、本体部２Ｇに対して蓋部４Ｇが固定され得る。ここでは、例えば、蓋部４Ｇは、嵌合、係合及び螺合等の如何なる態様によって、本体部２Ｇに固定されてもよい。なお、例えば、蓋部４Ｇは、薄肉部又は蝶番等によって本体部２Ｇに対して回動可能に設けられてもよいし、本体部２Ｇとは別体であってもよい。このとき、本体部２Ｇの係止部３が設けられた側（ここでは、＋Ｚ側）に電線５が本体部２Ｇに沿って配設され得る収容空間２ＳｐＧが、蓋部４Ｇによって覆われ得る。つまり、収容空間２ＳｐＧが本体部２Ｇと蓋部４Ｇとによって囲まれ、例えば、本体部２Ｇに沿って配される電線５が、周辺に配される部材等から保護され得る。
【００７４】
また、プロテクタ１，１Ａ〜１Ｃ，１Ｅ，１Ｇの形状は、角筒形であったが、これに限られず、円筒形であってもよい。
【００７５】
例えば、上記第１〜７変形例に係るプロテクタ１Ａ〜１Ｇ及び電線モジュール１００Ａ〜１００Ｇにおいて、例えば、本体部２，２Ｄ〜２Ｇが、例えば、底部２０の延在方向に直交するＹＺ断面がＵ字状に湾曲している内壁２ＩｗＨを有する溝部２ＧｒＨが含まれたものに変更されてもよい。図１８は、第８変形例に係るプロテクタ１Ｈ及び電線モジュール１００Ｈを示す概略正面図である。プロテクタ１Ｈは、上記第６変形例に係るプロテクタ１Ｆをベースにして、本体部２Ｆが、延在方向（ここでは、＋Ｘ方向）に直交するＹＺ断面が半円弧状に湾曲している底部２０Ｈと、該底部２０Ｈの幅方向の両側の端部に立設された側壁部２１Ｈ，２２Ｈとを有する本体部２Ｈに変更されたものである。このような構成では、例えば、収容空間２Ｓｐの体積が低減され、プロテクタ１Ｈの小型化が図られ得る。
【００７６】
上記第８変形例に係るプロテクタ１Ｈ及び電線モジュール１００Ｈにおいて、例えば、２つ以上の係止部３が設けられてもよい。図１９は、第９変形例に係るプロテクタ１Ｉ及び電線モジュール１００Ｉを示す概略正面図である。プロテクタ１Ｉは、上記第８変形例に係るプロテクタ１Ｈをベースにして、１つの係止部３３が、第１〜３係止部３１〜３３に置換され、これらの第１〜３係止部３１〜３３が、内壁２ＩｗＨの内周方向に沿って互いに離間するように配されている。つまり、例えば、内壁２ＩｗＨの内周方向に沿って互いに離間して、第１係止部３１及び第２係止部３２が設けられてもよいし、内壁２ＩｗＨの内周方向に沿って第１係止部３１と第２係止部３２との間に第３係止部３３が設けられてもよい。このような構成でも、第１係止部３１及び第２係止部３２等によって、プロテクタ１Ｉにコルゲートチューブ６が安定して係止され得る。すなわち、プロテクタ１Ｉからコルゲートチューブ６が外れ難い。一方、互いに離間した２以上の係止部３によってコルゲートチューブ６が係止されるため、プロテクタ１Ｉに対してコルゲートチューブ６が取り付け易い。また、ここで、例えば、第１係止部３１と第２係止部３２とが、本体部２Ｉの内壁２ＩｗＨの内周方向に沿って互いに離間した対向している面に配されれば、プロテクタ１Ｉにコルゲートチューブ６が安定して係止され得る。
【００７７】
上記第１〜５，８，９変形例に係るプロテクタ１Ａ〜１Ｅ，１Ｈ，１Ｉ及び電線モジュール１００Ａ〜１００Ｅ，１００Ｈ，１００Ｉにおいて、例えば、係止部３が、内壁２Ｉｗ，２ＩｗＤ，２ＩｗＨの内周方向に沿って曲がり且つ延在している係止部（曲がり係止部とも言う）３Ｊを含んでいてもよい。図２０は、第１０変形例に係る電線モジュール１００Ｊを示す概略正面図である。プロテクタ１Ｊは、上記第９変形例に係るプロテクタ１Ｉをベースにして、第１〜３係止部３１〜３３が、内壁２ＩｗＨの内周方向に沿って曲がり且つ延在している曲がり係止部３Ｊに置換されたものである。このような構成により、例えば、プロテクタ１Ｊにコルゲートチューブ６が係止される領域が増加されれば、プロテクタ１Ｊにコルゲートチューブ６が安定して取り付けられ得る。
【００７８】
ここで、例えば、本体部２Ｈは、底部２０Ｈの延在方向に直交するＹＺ断面がＵ字状に湾曲している内壁２ＩｗＨを有する溝部２ＧｒＨを含み、曲がり係止部３Ｊが、内壁２ＩｗＨの内周方向に沿ってＵ字状に湾曲し且つ延在していれば、プロテクタ１Ｊにコルゲートチューブ６が非常に安定して取り付けられ得る。また、例えば、コルゲートチューブ６から複数の電線５が延出していれば、曲がり係止部３Ｊによって、複数の電線５の電線束が拡がらないように空間を仕切る板の役割も奏し得る。このような構成では、例えば、コルゲートチューブ６の端部及びその周辺の部分と、複数の電線５の外周部とが接触し難く、複数の電線５の外周部が傷付き難い。
【００７９】
また、ここで、例えば、溝部２ＧｒＨを覆うことが可能な蓋部４が設けられてもよい。図２１及び図２２は、第１１変形例に係るプロテクタ１Ｋ及び電線モジュール１００Ｋを示す概略正面図である。図２１には、蓋部４が収容空間２Ｓｐの開口Ｏｐ３を塞いでいない開放状態が示され、図２２には、蓋部４が収容空間２Ｓｐの開口Ｏｐ３を塞いでいる閉鎖状態が示されている。ここで、プロテクタ１Ｋは、上記第１０変形例に係るプロテクタ１Ｊに、蓋部４が追加され、本体部２Ｈに被嵌合部２３が追加されたものである。
【００８０】
以上のように、この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８１】
１，１Ａ〜１Ｋ  プロテクタ
１００，１００Ａ〜１００Ｋ  電線モジュール
２，２Ｄ〜２Ｈ  本体部
２Ｇｒ，２ＧｒＤ，２ＧｒＨ  溝部
２Ｉｗ，２ＩｗＤ，２ＩｗＨ  内壁
２Ｓｐ，２ＳｐＤ，２ＳｐＧ  収容空間
３，３Ｊ  係止部
３１〜３３  第１〜３係止部
３ａ  立設部
３ｂ  延在部
３ｃ  突起部
３ｃ１〜３ｃ３  第１〜３突起部
４，４Ｅ，４Ｇ  蓋部
５  電線
６  コルゲートチューブ
２０，２０Ｈ  底部
２１，２２，２１Ｈ，２２Ｈ  側壁部
６１  山部（環状の凸部）
６２  谷部（環状の凹部）
６３  凸部
６４  凹部
Ｏｐ１，Ｏｐ２，Ｏｐ３  開口
ＳＬ１  第１端面
ＳＴ１  第２端面
Ｚ１  第１区間
Ｚ２  第２区間
【図１】
2017195655.tif 000003
【図２】
2017195655.tif 000004
【図３】
2017195655.tif 000005
【図４】
2017195655.tif 000006
【図５】
2017195655.tif 000007
【図６】
2017195655.tif 000008
【図７】
2017195655.tif 000009
【図８】
2017195655.tif 000010
【図９】
2017195655.tif 000011
【図１０】
2017195655.tif 000012
【図１１】
2017195655.tif 000013
【図１２】
2017195655.tif 000014
【図１３】
2017195655.tif 000015
【図１４】
2017195655.tif 000016
【図１５】
2017195655.tif 000017
【図１６】
2017195655.tif 000018
【図１７】
2017195655.tif 000019
【図１８】
2017195655.tif 000020
【図１９】
2017195655.tif 000021
【図２０】
2017195655.tif 000022
【図２１】
2017195655.tif 000023
【図２２】
2017195655.tif 000024